(57)【要約】【課題】従来よりも小回路規模で、ホワイトバランス調整機能を備え、正確な色再現性を実現することができる表示装置用駆動装置を提供する。【解決手段】  表示装置用駆動回路において、階調電圧と液晶パネル２０１における輝度との関係を定めたγ特性を調整するためのＲ＆Ｇ用レジスタ１０２とＢ用レジスタ１０３を独立に備え、各々のレジスタ出力に基づきγ特性調整したＲ＆Ｇ用ラダー抵抗１１０とＢ用ラダー抵抗１１９からの階調レベル出力を時分割で切り替えて選択する。【選択図】図１
2007240895.tif 000002
【特許請求の範囲】
【請求項１】
階調を示す表示データに応じた階調電圧を、複数の画素が配列された表示パネルへ出力する表示装置用駆動回路であって、
基準電圧を分割することによって、複数の階調に対応する複数の階調電圧を生成するための階調電圧生成回路と、
前記複数の階調電圧から、前記表示データに応じた階調電圧を選択するためのデコード回路と、
前記デコード回路からの出力を前記表示パネルに出力するかしないかを選択するスイッチと、
前記表示データによって示される階調と前記表示パネルにおける輝度との関係を定めたγ特性を調整するための２つ以上の色用に共通の第１のレジスタおよび１色用の第２のレジスタを備え、
前記第１のレジスタおよび前記第２のレジスタのそれぞれは、
前記γ特性を前記表示パネルの極性反転駆動における正極用のものとする第１のレジスタ値と、
前記γ特性を前記表示パネルの極性反転駆動における負極用のものとする第２のレジスタ値と、
前記第１のレジスタ値と前記第２のレジスタ値を選択する第１のセレクタとを有し、
前記第１のセレクタは、第１の切替信号に基づいて、前記第１のレジスタ値と前記第２のレジスタ値とを選択することを特徴とする表示装置用駆動回路。
【請求項２】
請求項１記載の表示装置用駆動回路において、
前記スイッチは、スイッチ駆動信号に基づいて、ＯＮ・ＯＦＦ制御を行うことを特徴とする表示装置用駆動回路。
【請求項３】
請求項１記載の表示装置用駆動回路において、
前記スイッチ駆動信号を生成するスイッチ切替タイミング生成回路を備えたことを特徴とする表示装置用駆動回路。
【請求項４】
請求項１記載の表示装置用駆動回路において、
前記第１のレジスタ値と前記第２のレジスタ値は、外部から独立に設定されることを特徴とする表示装置用駆動回路。
【請求項５】
請求項１記載の表示装置用駆動回路において、
前記第１の切替信号を生成するレジスタ切替タイミング生成回路を備えたことを特徴とする表示装置用駆動回路。
【請求項６】
請求項１記載の表示装置用駆動回路において、
前記第１のレジスタおよび前記第２のレジスタからの出力に基づいて、γ特性調整された階調レベル出力を行う第１のラダー抵抗および第２のラダー抵抗を備えたことを特徴とする表示装置用駆動回路。
【請求項７】
請求項６記載の表示装置用駆動回路において、
前記第１のラダー抵抗および前記第２のラダー抵抗からの前記階調レベル出力のうち、ラダー切替信号に基づいて、どちらか一方の階調レベルの出力を選択する第２のセレクタを備えたことを特徴とする表示装置用駆動回路。
【請求項８】
請求項７記載の表示装置用駆動回路において、
前記ラダー切替信号を生成するラダー切替タイミング生成回路を備えたことを特徴とする表示装置用駆動回路。
【請求項９】
請求項６記載の表示装置用駆動回路において、
前記階調レベル出力のうち、２以上の階調レベル出力を選択する第３のセレクタを備えたことを特徴とする表示装置用駆動回路。
【請求項１０】
請求項９記載の表示装置用駆動回路において、
前記第３のセレクタは階調時分割信号に基づいて、どれか１つの階調レベルを選択することを特徴とする表示装置用駆動回路。
【請求項１１】
請求項１記載の表示装置用駆動回路において、
第２の切替信号に基づいて、前記第１のレジスタおよび前記第２のレジスタからの出力を選択する第４のセレクタを備えたことを特徴とする表示装置用駆動回路。
【請求項１２】
請求項１１記載の表示装置用駆動回路において、
前記第２の切替信号を生成するレジスタ切替タイミング生成回路を備えたことを特徴とする表示装置用駆動回路。
【請求項１３】
請求項１１記載の表示装置用駆動回路において、
前記第４のセレクタからの出力に基づいて、γ特性調整された階調レベル出力を行う第３のラダー抵抗を備えたことを特徴とする表示装置用駆動回路。
【請求項１４】
請求項１３記載の表示装置用駆動回路において、
前記階調レベル出力のうち、２以上の階調レベル出力を選択する第５のセレクタを備えたことを特徴とする表示装置用駆動回路。
【請求項１５】
前記１４記載の表示装置用駆動回路において、
前記第５のセレクタは階調時分割信号に基づいて、どれか１つの階調レベルを選択することを特徴とする表示装置用駆動回路。
【請求項１６】
階調を示す表示データに応じた階調電圧を、複数の画素が配列された表示パネルへ出力する表示装置用駆動回路において、
前記表示データによって示される階調に対する前記階調電圧の関係を調整するための調整値を、外部装置から設定するためのレジスタと、
前記調整値に従って、基準電圧から、複数の階調に対応する複数の階調電圧を生成するための階調電圧生成回路と、
前記複数の階調電圧から、前記表示データに応じた階調電圧を選択するためのデコード回路とを備え、
前記画素は、赤表示用の画素、緑表示用の画素、青表示用の画素を含み、
前記表示データは、赤表示用の表示データ、緑表示用の表示データ、青表示用の表示データを含み、
前記レジスタは、赤、緑、青のうちの２色に共通な第１の調整値と、赤、緑、青のうちの他の１色のための第２の調整値とを、前記外部装置から設定され、
前記階調電圧生成回路は、前記第１の調整値に従って、前記赤、緑、青のうちの２色に共通な第１の複数の階調電圧を生成し、前記第２の調整値に従って、前記赤、緑、青のうちの他の１色のための第２の複数の階調電圧を生成することを特徴とする表示装置用駆動回路。
【請求項１７】
請求項１６記載の表示装置用駆動回路において、
前記階調電圧生成回路は、前記デコード回路が前記赤、緑、青のうちの２色の表示データに応じた階調電圧を選択する場合に、前記第１の複数の階調電圧を出力し、前記デコード回路が前記赤、緑、青のうちの他の１色の表示データに応じた階調電圧を選択する場合に、前記第２の複数の階調電圧を出力することを特徴とする表示装置用駆動回路。
【請求項１８】
請求項１７記載の表示装置用駆動回路において、
前記階調電圧生成回路は、前記第１の調整値に従って、前記第１の複数の階調電圧を生成するための第１の生成回路と、前記第２の調整値に従って、前記第２の複数の階調電圧を生成するための第２の生成回路とを備え、
前記第１の生成回路と前記第２の生成回路の一方は、前記階調電圧生成回路が前記第１の複数の階調電圧と前記第２の複数の階調電圧の他方を出力している間に、前記レジスタから前記第１の調整値と前記第２の調整値の一方を取り込むことを特徴とする表示装置用駆動回路。
【請求項１９】
請求項１８記載の表示装置用駆動回路において、
前記レジスタは、正極用の前記第１の調整値と負極用の前記第１の調整値とを、前記外部装置から設定され、正極用の前記第２の調整値と負極用の前記第２の調整値とを、前記外部装置から設定され、
前記第１の生成回路は、前記正極用の第１の調整値と前記負極用の第１の調整値を交互に取り込み、
前記第２の生成回路は、前記正極用の第２の調整値と前記負極用の第２の調整値を交互に取り込むことを特徴とする表示装置用駆動回路。
【発明の詳細な説明】
【技術分野】
【０００１】
本発明は、階調を示す表示データに応じた階調電圧を複数の画素が配列された表示パネルへ出力する表示装置用駆動装置に関し、例えばＴＦＴ液晶等を用いたアクティブマトリクス型の表示装置用駆動装置に係り、小回路規模でホワイトバランスの調整を可能とする駆動回路に適用して有効な技術に関する。
【背景技術】
【０００２】
本発明者が検討したところによれば、表示装置用駆動装置に関しては、以下のような技
術が考えられる。
【０００３】
例えば、印加する階調電圧により表示輝度を制御する、アクティブマトリクス型の液晶表示装置においては、正確な色再現を行うため、階調データに対する表示輝度の特性、いわゆるγ特性の調整が必要である。ここで、Ｒ、Ｇ、Ｂそれぞれを独立にγ特性調整することのできる機能を有する液晶表示装置が、例えば、特開２００２−３６６１１２号公報（特許文献１）などに開示されている。
【特許文献１】特開２００２−３６６１１２号公報
【発明の開示】
【発明が解決しようとする課題】
【０００４】
ところで、液晶表示装置に関しては、カラーフィルタとバックライトの波長の影響から、階調電圧特性によっては低階調表示時にホワイトバランスがＲ、Ｇ、Ｂのどれか一方向にシフトしてしまうという問題がある。そこで従来技術では、表示装置用駆動装置内にＲ、Ｇ、Ｂそれぞれ独立にγ特性調整を行える機能を有することで、ホワイトバランス調整を行っていた。
【０００５】
しかし、前記のような表示装置用駆動装置の場合、Ｒ、Ｇ、Ｂ用のγ調整回路をすべて独立とし、レジスタ回路やラダー抵抗をＲ、Ｇ、Ｂそれぞれ個別に備えていたため、回路規模が増大してしまうという課題があった。
【０００６】
そこで、本発明の目的は、上記課題を解決すべく、従来よりも小回路規模で、ホワイトバランス調整機能を備え、正確な色再現性を実現することができる表示装置用駆動装置を提供することである。
【０００７】
本発明の前記ならびにその他の目的と新規な特徴は、本明細書の記述および添付図面から明らかになるであろう。
【課題を解決するための手段】
【０００８】
本願において開示される発明のうち、代表的なものの概要を簡単に説明すれば、次のとおりである。
【０００９】
本発明による表示装置用駆動回路は、階調を示す表示データに応じた階調電圧を、複数の画素が配列された表示パネルへ出力する表示装置用駆動回路であって、基準電圧を分割することによって、複数の階調に対応する複数の階調電圧を生成するための階調電圧生成回路と、複数の階調電圧から、表示データに応じた階調電圧を選択するためのデコード回路と、デコード回路からの出力を表示パネルに出力するかしないかを選択するスイッチと、階調電圧と表示パネルにおける輝度との関係を定めたγ特性を調整するための２つ以上の色用に共通の第１のレジスタおよび１色用の第２のレジスタを備え、第１のレジスタおよび第２のレジスタのそれぞれは、γ特性を表示パネルの極性反転駆動における正極用のものとする第１のレジスタ値と、γ特性を表示パネルの極性反転駆動における負極用のものとする第２のレジスタ値と、第１のレジスタ値と第２のレジスタ値を選択する第１のセレクタとを有し、第１のセレクタは、第１の切替信号に基づいて、第１のレジスタ値と第２のレジスタ値とを選択するものである。
【００１０】
具体的には、色はＲとＧとＢの光の相対比で決まるため、Ｒ、Ｇ、Ｂのうち２色を調整することで、色すなわちホワイトバランスを調整することが可能である。この点に着目すると、Ｒ、Ｇ、Ｂのうちの２色をγ調整可能とすることで本発明の目的を達成できるものと考えた。
【００１１】
すなわち、ＲとＧについてはγ特性調整を共通化し、Ｂについてのみγ特性調整を独立にするといった構成とすることによりホワイトバランスを調整可能であると考えた。
【００１２】
共通化した色（例えばＲ＆Ｇ）と独立した色（例えばＢ）それぞれのγ特性調整についてはそれぞれに対応したレジスタ回路を用いて調整することとする。
【００１３】
また上記のレジスタ回路には液晶の正極性と負極性とに対応した各レジスタ値を格納しタイミングに応じて切り替える機能を有する。
【００１４】
また、色の階調電圧レベルをデコード回路へ出力する際に、γ特性調整を共通化した色（例えばＲ＆Ｂ）と独立とした色（例えばＢ）とを時分割で出力することにより、階調電圧出力アンプやデコード回路を各色個別に備える必要がないため、回路規模の増大を抑制することが可能となる。
【００１５】
これらのことより、従来技術であるＲ、Ｇ、Ｂについてすべて独立にγ特性調整可能とするよりも、小回路規模でホワイトバランスを調整することが可能である。
【発明の効果】
【００１６】
本願において開示される発明のうち、代表的なものによって得られる効果を簡単に説明すれば以下のとおりである。
【００１７】
本発明によれば、印加電圧で表示輝度を制御する液晶パネルや有機ＥＬパネル等を用いた表示装置において、小回路規模でホワイトバランス調整精度を向上させ、レジスタ制御によって容易に設定できることで、多様な表示パネルに対して高画質化と汎用性のある制御を実現することが可能となる。
【発明を実施するための最良の形態】
【００１８】
以下、本発明の実施の形態を図面に基づいて詳細に説明する。なお、実施の形態を説明
するための全図において、同一の機能を有する部材には原則として同一の符号を付し、そ
の繰り返しの説明は省略する。
【００１９】
（実施の形態１）
本実施の形態における表示装置用駆動回路においては、Ｒ＆Ｇ用ラダー抵抗とＢ用ラダー抵抗とを独立にし、セレクタを用いて時分割でＲ＆ＧとＢとを個別にγ調整可能とする機能を新たに設けている。これにより、ホワイトバランス調整機能を実現し、より多様な液晶パネルにおいて、正確な色再現性を実現することが可能である。
【００２０】
また、本実施の形態ではＲ＆Ｇ用ラダー抵抗とＢ用ラダー抵抗という分け方をしたが、Ｒ＆Ｂ用ラダー抵抗、Ｇ用ラダー抵抗という分け方、Ｇ＆Ｂ用ラダー抵抗、Ｒ用ラダー抵抗という分け方としても構わない。以下において、具体的に説明する。
【００２１】
＜表示装置用駆動回路の階調電圧生成部の構成＞
図１により、本発明の実施の形態１に係る表示装置用駆動回路の階調電圧生成部の構成について説明する。図１は本発明の実施の形態１に係る表示装置用駆動回路における階調電圧生成部の構成の一例を示す構成図である。
【００２２】
図１において、本実施の形態の液晶表示装置における階調電圧生成部は、基準電圧を分割することによって複数の階調に対応する複数の階調電圧を生成するための階調電圧生成回路１００と、複数の階調電圧から表示データに応じた階調電圧を選択するためのデコード回路１５３から構成される。
【００２３】
階調電圧生成回路１００は、基準電圧の接続端とグランド（ＧＮＤ）の接続端との間に接続された抵抗から構成されるＲ＆Ｇ用ラダー抵抗１１０と、同様に基準電圧の接続端とグランドの接続端との間に接続された抵抗から構成されるＢ用ラダー抵抗１１９と、これらのラダー抵抗に接続された２ｔｏ１セレクタ１２８〜１３５と、これらの２ｔｏ１セレクタ１２８〜１３５の出力に接続された階調電圧出力アンプ１３６〜１４３から構成される。
【００２４】
上記２ｔｏ１セレクタ１２８〜１３５の出力の切り替えはラダー切替信号１５２に従い行われる。このラダー切替信号１５２は、例えば、ラダー抵抗切替タイミング生成回路（図示せず）などにより生成されている。
【００２５】
この階調電圧生成回路１００の外部には、Ｒ＆Ｇ用レジスタ１０２、Ｂ用レジスタ１０３が接続されている。
【００２６】
本実施の形態の液晶表示装置において、Ｒ＆Ｇ用レジスタ１０２とＢ用レジスタ１０３は、階調電圧生成回路１００のＲ＆Ｇ用ラダー抵抗１１０とＢ用ラダー抵抗１１９の調整を行うための設定値を格納するものである。
【００２７】
一般的に、液晶パネルでは、映像表示の画質劣化を防ぐために、ある一定期間毎に印加電圧の極性を反転させる交流化駆動が必要である。この場合、印加電圧極性の切り替えは、交流信号によって行われ、例えば、交流信号は１走査期間毎にロウ状態とハイ状態が反転する。
【００２８】
ここで、液晶パネルによっては、階調番号−階調電圧の特性が正極性、負極性によって異なる場合があるので、極性毎に所望のγ特性調整を行うことが必要となる。
【００２９】
本実施の形態の階調電圧生成回路１００の構成で、極性毎に階調電圧の設定を変更するためには、液晶表示装置におけるレジスタ設定を、正極性用と負極性用と２つ格納し、それを交流信号に同期させ、階調電圧生成部に入力するレジスタ値を切り替えることで、正極性、負極性の階調電圧を生成することができる。
【００３０】
上記交流化を行うために、本実施の形態の液晶表示装置において、Ｒ＆Ｇ用レジスタには正極Ｒ＆Ｇ用レジスタ１０４と、負極Ｒ＆Ｇ用レジスタ１０５と、それらの出力を選択するための２ｔｏ１セレクタ１０８を備えている。同様に、Ｂ用レジスタには、正極Ｂ用レジスタ１０６と負極Ｂ用レジスタ１０７と、それらの出力を選択するための２ｔｏ１セレクタ１０９を備えている。
【００３１】
上記２ｔｏ１セレクタ１０８の出力の切り替えはＲ＆Ｇ正極・負極切替信号１５５に従い行われる。同様に上記２ｔｏ１セレクタ１０９の出力の切り替えはＢ正極・負極切替信号１５４に従い行われる。
【００３２】
また、デコード回路１５３は、階調電圧生成回路１００で生成された階調電圧から表示データに応じた階調電圧をデコードする回路である。
【００３３】
＜階調電圧の生成動作＞
次に、本実施の形態における階調電圧生成部において、図１を参照しながら、階調電圧を生成する動作の一例について説明する。
【００３４】
外部より入力された基準電圧は、グランドとの間で、Ｒ＆Ｇ用ラダー抵抗１１０と、Ｂ用ラダー抵抗１１９それぞれにより抵抗分割され、所望の階調レベルが制御レジスタ１０１からの設定により生成される。
【００３５】
制御レジスタ１０１から階調電圧生成回路１００へは、Ｒ＆Ｇ用レジスタ１０２からのレジスタ値が入力される。また、Ｒ＆Ｇ用レジスタ１０２内の正極Ｒ＆Ｇ用レジスタ１０４と負極Ｒ＆Ｇ用レジスタ１０５は２ｔｏ１セレクタ１０８において、Ｒ＆Ｇ正極・負極切替信号１５５によって切り替わる。本実施の形態においては、Ｒ＆Ｇ正極・負極切替信号１５５がハイ状態の場合、正極Ｒ＆Ｇ用レジスタ設定値を選択し、Ｒ＆Ｇ正極・負極切替信号１５５がロウ状態の場合、負極Ｒ＆Ｇ用レジスタ設定値を選択することとする。
【００３６】
同様に、制御レジスタ１０１から階調電圧生成回路１００へは、Ｂ用レジスタ１０３からのレジスタ値が入力される。また、Ｂ用レジスタ１０３内の正極Ｂ用レジスタ１０６と負極Ｂ用レジスタ１０７は２ｔｏ１セレクタ１０９において、Ｂ正極・負極切替信号１５４によって切り替わる。本実施形態においては、Ｂ正極・負極切替信号１５４がハイ状態の場合、正極Ｂ用レジスタ設定値を選択し、Ｂ正極・負極切替信号１５４がロウ状態の場合、負極Ｂ用レジスタ設定値を選択することとする。
【００３７】
Ｒ＆Ｇ用ラダー抵抗１１０から生成された階調レベル１１１〜１１８とＢ用ラダー抵抗１１９から生成された階調レベル１２０〜１２７は、２ｔｏ１セレクタ１２８〜１３５へと出力され、ラダー切替信号１５２によりＲ＆Ｇ用階調レベルとＢ用階調レベルのどちらかが選択される。本実施形態においては、ラダー切替信号１５２がハイ状態の場合、Ｒ＆Ｇ用階調レベルを選択し、ラダー切替信号１５２がロウ状態の場合、Ｂ用階調レベルを選択することとする。
【００３８】
２ｔｏ１セレクタ１２８〜１３５からの出力は、階調電圧出力アンプ１３６〜１４３によりバッファリングされる。以下、階調電圧出力アンプ１３６〜１４３によりバッファリングされた出力電圧をそれぞれ階調電圧出力１４４〜１５１と呼ぶ。
【００３９】
階調電圧出力１４４〜１５１はデコード回路へ出力され、表示データに応じた階調電圧が液晶パネル印加電圧としてデコード回路から出力される。
【００４０】
＜表示装置用駆動回路を搭載した液晶表示装置の構成＞
次に、図２により、本発明の実施の形態１に係る表示装置用駆動回路を搭載した液晶表示装置の構成について説明する。図２は本発明の実施の形態１に係る表示装置用駆動回路を搭載した液晶表示装置の構成の一例を示す構成図である。
【００４１】
図２において、本実施の形態における液晶表示装置２００は、液晶パネル２０１、液晶パネル２０１の信号線に表示データに対応した階調電圧を出力する図１で示した階調電圧生成部を含む信号線駆動回路２０２、液晶パネル２０１の走査線に走査信号を印加するための走査線駆動回路２０３、信号線駆動回路２０２と走査線駆動回路２０３に動作用電源を供給する電源回路２０４から構成される。
【００４２】
この液晶表示装置２００には、液晶パネル２０１に画像を表示させるための各種処理を行うＭＰＵ（マイクロプロセッサユニット）２０５が接続されている。
【００４３】
信号線駆動回路２０２は、このＭＰＵ２０５との間で表示データおよび制御用データのやり取りを行うためのシステムインターフェース２０６と、システムインターフェース２０６より出力された表示データを格納するための表示データメモリ２０７と、図１で示したＲ＆Ｇ用レジスタ１０２と、Ｂ用レジスタ１０３の各種レジスタからなる制御レジスタ１０１、階調電圧生成回路１００、およびデコード回路１５３を含んだ構成となる。
【００４４】
システムインターフェース２０６は、ＭＰＵ２０５が出力する表示データおよびインストラクションを受け、制御レジスタ１０１へ出力する動作を行う。動作の詳細は、例えば６８系１６ｂｉｔのバスインターフェースに準拠しており、チップ選択を示すＣＳ（Ｃｈｉｐ  Ｓｅｌｅｃｔ）信号、制御レジスタ１０１のアドレスを指定するのかデータを指定するのかを選択するＲＳ（Ｒｅｇｉｓｔｅｒ  Ｓｅｌｅｃｔ）信号、処理動作の起動を指示するＥ（Ｅｎａｂｌｅ）信号、データの書き込み又は読み出しを選択するＷＲ（Ｗｒｉｔｅ  Ｒｅａｄ）信号、制御レジスタ１０１のアドレス又はデータの設定値であるＤＡＴＡ信号で構成される。
【００４５】
ここで、インストラクションとは、信号線駆動回路２０２、走査線駆動回路２０３、電源回路２０４の内部動作を決定するための情報であり、フレーム周波数、駆動ライン数、駆動電圧等の各種パラメータを含んでいる。また、本実施の形態の特徴である、Ｒ＆Ｇ用レジスタ調整、Ｂ用レジスタ調整に関する情報も含んでいる。そして、制御レジスタ１０１は、インストラクションのデータを格納し、これを各駆動回路のブロックへ出力する。
【００４６】
また、信号線駆動回路２０２内にはスイッチ切替タイミング生成回路２１１を備え、スイッチ切替タイミング生成回路２１１は、スイッチ２０８内のＲ＆Ｇスイッチを駆動するためのＲ＆Ｇスイッチ駆動信号２０９と、Ｂスイッチを駆動するためのＢスイッチ駆動信号２１０を出力する。
【００４７】
また、信号線駆動回路２０２内にはレジスタ切替タイミング生成回路２１２を備え、レジスタ切替タイミング生成回路２１２は、制御レジスタ１０１内の、Ｒ＆Ｇ用レジスタ内の正極Ｒ＆Ｇ用レジスタ出力と負極Ｒ＆Ｇ用レジスタ出力の選択を行う２ｔｏ１セレクタ１０８を駆動するためのＲ＆Ｇ正極・負極切替信号１５５と、Ｂ用レジスタ内の正極Ｂ用レジスタ出力と負極Ｂ用レジスタ出力の選択を行う２ｔｏ１セレクタ１０９を駆動するためのＢ正極・負極切替信号１５４を出力する。
【００４８】
以上より、制御レジスタ１０１の各レジスタの設定値は、外部から独立に容易に変更可能となり、γ特性の各調整を容易とし、多様な液晶パネルにおいて、正確な色再現性を実現することができる。
【００４９】
なお、本実施の形態では、液晶表示装置２００を前提に説明を行ったが、これに限られる訳ではなく、印加する電圧によって表示輝度を制御する他の表示デバイス、例えば有機ＥＬディスプレイ等にも適用可能である。
【００５０】
また、本実施の形態では、説明を簡単にするため、液晶の駆動等で必要な極性反転駆動に関する概念を省いたが、コモン反転、列毎反転、ドット反転といった各種方式へも容易に適用可能である。
【００５１】
さらに、本実施の形態は、γ特性の調整に関する各種の情報をレジスタに記憶させることを前提に説明したが、これに限られる訳ではなく、例えば端子設定としても良い。
【００５２】
＜レジスタ設定のタイミング＞
次に、図３により、本発明の実施の形態１に係る表示装置用駆動回路の制御レジスタ１０１から階調電圧生成回路１００の各レジスタへ入力されるレジスタ設定値のタイミングについて説明する。図３は本発明の実施の形態１に係る表示装置用駆動回路の制御レジスタから階調電圧生成回路の各レジスタへ入力されるレジスタ設定値のタイミングを示すタイミングチャートである。
【００５３】
図３は、例として１ライン毎極性反転駆動時の制御レジスタの動作を示している。１ライン毎極性反転駆動時では、出力データを１水平周期毎に正極性、負極性を切り替えている。
【００５４】
そのため、Ｒ＆Ｇ用ラダーレジスタ設定値およびＢ用ラダーレジスタ設定値を１水平周期期間ごとに変化させる必要がある。本実施の形態では、正極Ｒ＆Ｇ用レジスタ１０４と負極Ｒ＆Ｇ用レジスタ１０５とを、Ｒ＆Ｇ正極・負極切替信号１５５に従い、２ｔｏ１セレクタ１０８を用いて切り替える。Ｒ＆Ｇ正極・負極切替信号１５５がハイ状態のとき、正極Ｒ＆Ｇ用レジスタ１０４を選択し、Ｒ＆Ｇ正極・負極切替信号１５５がロウ状態のとき、負極Ｒ＆Ｇ用レジスタ１０５を選択するように設定してある。
【００５５】
また、同様に、本実施の形態では、正極Ｂ用レジスタ１０６と負極Ｂ用レジスタ１０７とを、Ｂ正極・負極切替信号１５４に従い、２ｔｏ１セレクタ１０９を用いて切り替える。Ｂ正極・負極切替信号１５４がハイ状態のとき、正極Ｂ用レジスタ１０６を選択し、Ｂ正極・負極切替信号１５４がロウ状態のとき、負極Ｂ用レジスタ１０７を選択するように設定してある。
【００５６】
このとき、例えば、信号線駆動回路２０２からの出力データがＢ正極データで、選択ラダー抵抗がＢ用ラダー抵抗１１９である場合、Ｂ用ラダー抵抗１１９のレジスタ設定は、γ準備期間において行う。上記のタイミングで設定することにより、Ｂ用ラダー抵抗１１９を使用するタイミングでは、すでにＢ用ラダー抵抗１１９における階調レベル生成がすでに固定した状態になる。このことから、切替時の収束時間に問題が生じることはない。また、Ｒ＆Ｇ用ラダー抵抗１１０に関しても同様なタイミングでレジスタ設定を行うことで、同様な効果が得られる。
【００５７】
γ準備期間は階調レベルが固定できる範囲内で自由に調整可能であり、そのためＲ＆Ｇ正極・負極切替信号１５５、Ｂ正極・負極切替信号１５４のタイミングはその範囲内で自由に変更することができる。
【００５８】
次に、時分割で液晶パネルへの書き込みを行うために、図１におけるＲ＆Ｇ用ラダー抵抗１１０からのＲ＆Ｇ用階調レベル１１１〜１１８とＢ用ラダー抵抗１１９からのＢ用階調レベル１２０〜１２７とを、ラダー切替信号１５２に従い、２ｔｏ１セレクタ１２８〜１３５を用いて切り替える。この結果、Ｒ＆Ｇ用階調電圧とＢ用階調電圧のどちらか一方が階調電圧出力アンプ１３６〜１４３より出力される。
【００５９】
本実施の形態では、ラダー切替信号１５２がハイ状態のとき、Ｒ＆Ｇ用階調レベル１１１〜１１８を選択し、ラダー切替信号１５２がロウ状態のとき、Ｂ用階調レベル１２０〜１２７を選択するように設定してある。
【００６０】
また、図２におけるＲ＆Ｇスイッチ駆動信号２０９がハイ状態かつＢスイッチ駆動信号２１０がロウ状態のときは図２におけるスイッチ２０８内のＲ＆ＧスイッチはＯＮ状態となり、ＢスイッチはＯＦＦ状態となるため、Ｒ＆Ｇ用の階調電圧が液晶パネル２０１に出力される。
【００６１】
同様に、Ｂスイッチ駆動信号２１０がハイ状態かつＲ＆Ｇスイッチ駆動信号２０９がロウ状態のときは図２におけるスイッチ２０８内のＢスイッチはＯＮ状態となり、Ｒ＆ＧスイッチはＯＦＦ状態となるため、Ｂ用の階調電圧が液晶パネル２０１に出力される。
【００６２】
以上述べた本実施の形態に係る表示装置用駆動回路を搭載した液晶表示装置２００によれば、Ｒ＆Ｇ用γ特性調整レジスタと、Ｂ用のγ特性調整レジスタを予め個別に２系統用意し、それぞれについて正極用と負極用のレジスタ値を格納し、正極と負極のレジスタ値を時分割で切り替えることにより、γ特性調整に関してＲ＆ＧとＢとを個別に調整可能とすることでホワイトバランスのシフトを抑制し、正確な色再現性を実現することができる。
【００６３】
また、本実施の形態に係る表示装置用駆動回路を搭載した液晶表示装置２００によれば、調整規模をＲ＆ＧとＢの２系統とし、ラダー抵抗の増加もないため、従来技術のＲ、Ｇ、Ｂ独立γ特性調整とするよりも少ない回路規模で実現することができる。
【００６４】
（実施の形態２）
ラダー抵抗の複数の階調レベルをセレクタ回路で選択する階調時分割という方式がある。これは例えば、特開２００５−０９９６６５号公報などに開示されている。
【００６５】
この方式では複数の階調レベルを時分割で選択することにより階調電圧出力アンプ数を削減可能となる。本実施の形態は、この方式を適用し回路規模の削減を図ることを目的とする。
【００６６】
本実施の形態における表示装置用駆動回路を搭載した液晶表示装置２００は、実施の形態１に対し、階調電圧生成回路１００とデコード回路１５３を変更した構成となる。
【００６７】
＜表示装置用駆動回路の階調電圧生成部の構成＞
図４により、本発明の実施の形態２に係る表示装置用駆動回路の階調電圧生成部の構成について説明する。図４は本発明の実施の形態２に係る表示装置用駆動回路における階調電圧生成部の構成の一例を示す構成図である。
【００６８】
図４において、階調電圧生成回路１００は、前記実施の形態１に対し、基準電圧の接続端とグランド（ＧＮＤ）の接続端との間に接続された抵抗から構成されるＲ＆Ｇ用ラダー抵抗１１０から出力されるＲ＆Ｇ用階調レベル１１１〜１１８のうちで隣接した階調レベルを選択する２ｔｏ１セレクタ４０１〜４０４を設け、同様に基準電圧の接続端とグランドの接続端との間に接続された抵抗から構成されるＢ用ラダー抵抗１１９から出力されるＢ用階調レベル１２０〜１２７のうちで隣接した階調レベルを選択する２ｔｏ１セレクタ４０５〜４０８を設け、これらの２ｔｏ１セレクタ４０１〜４０８の出力に接続された２ｔｏ１セレクタ１２８〜１３５と、これらの２ｔｏ１セレクタ１２８〜１３５の出力に接続された階調電圧出力アンプ１３６〜１４３から構成される。
【００６９】
２ｔｏ１セレクタ４０１〜４０８の出力の切り替えは、階調時分割信号４００に従い行われる。この階調時分割信号４００は、例えば、階調時分割タイミング生成回路（図示せず）などにより生成されている。
【００７０】
また、デコード回路１５３は表示データ最下位ビット４０９を入力信号とするスイッチを設けている。
【００７１】
＜レジスタ設定のタイミング＞
次に、図５により、本発明の実施の形態２に係る表示装置用駆動回路の制御レジスタ１０１から階調電圧生成回路１００の各レジスタへ入力されるレジスタ設定値のタイミングについて説明する。図５は本発明の実施の形態２に係る表示装置用駆動回路の制御レジスタから階調電圧生成回路の各レジスタへ入力されるレジスタ設定値のタイミングを示すタイミングチャートである。
【００７２】
本実施の形態では、階調時分割信号４００に従い、階調時分割信号がハイ状態のとき、２ｔｏ１セレクタ４０１〜４０８はＡ側（Ｒ＆Ｇ用階調レベル１１１、１１３、１１５、１１７、Ｂ用階調レベル１１２、１１４、１１６、１１８）の階調レベルを選択し、階調時分割信号４００がロウ状態のとき、Ｂ側の階調レベル（Ｒ＆Ｇ用階調レベル１１２、１１４、１１６、１１８、Ｂ用階調レベル１２１、１２３、１２５、１２７）を選択するように設定してある。
【００７３】
また、デコード回路１５３は表示データ最下位ビット４０９をスイッチの切替信号として、Ａ側の階調レベル出力かＢ側の階調レベル出力かを判定する仕組みとなっている。本実施の形態では、階調時分割信号４００がハイ状態からロウ状態へ切り替わったとき、表示データの最下位ビットが１であれば、Ａ側の階調電圧を出力した後、デコード回路１５３に設けたスイッチはオフ状態となりデコーダはＡ側の階調電圧を保持する。
【００７４】
階調時分割信号４００がハイ状態からロウ状態へ切り替わったとき、最下位ビットが０であれば、デコード回路１５３に設けたスイッチはオン状態となりデコーダは階調電圧出力アンプから出力されるＢ側の階調電圧を出力する。
【００７５】
以上述べた本実施の形態によれば、γ特性調整に関してＲ＆ＧとＢとを個別に調整可能とすることでホワイトバランスのシフトを抑制し、正確な色再現性を実現することができる。また、階調電圧出力アンプの数を２分の１に減らし、回路規模削減を実現することができる。
【００７６】
（実施の形態３）
実施の形態３は、実施の形態２に対し、Ｒ＆Ｇ用ラダー抵抗とＢ用ラダー抵抗を共通のものとし、Ｒ＆Ｇ、Ｂのレジスタ設定値をセレクタ回路で時分割して選択する。本実施の形態は、回路規模の削減を図ることを目的とする。
【００７７】
本実施の形態における表示装置用駆動回路を搭載した液晶表示装置２００は、実施の形態２に対し、階調電圧生成回路と制御レジスタを変更した構成となる。
【００７８】
＜表示装置用駆動回路の階調電圧生成部の構成＞
図６により、本発明の実施の形態３に係る表示装置用駆動回路の階調電圧生成部の構成について説明する。図６は本発明の実施の形態３に係る表示装置用駆動回路における階調電圧生成部の構成の一例を示す構成図である。
【００７９】
図３において、階調電圧生成回路１００にはＲ＆Ｇ用ラダー抵抗とＢ用ラダー抵抗を共通化したＲＧＢ共通ラダー抵抗６０２を備え、ラダー抵抗と２ｔｏ１セレクタを削減している。
【００８０】
制御レジスタ内には、Ｒ＆Ｇ用レジスタ１０２からの出力とＢ用レジスタ１０３からの出力を受け取り、Ｒ＆Ｇ・Ｂ切替信号６０１に従いその出力を切り替える２ｔｏ１セレクタ６００を備える。
【００８１】
＜表示装置用駆動回路を搭載した液晶表示装置の構成＞
次に、図７により、本発明の実施の形態３に係る表示装置用駆動回路を搭載した液晶表示装置の構成について説明する。図７は本発明の実施の形態３に係る表示装置用駆動回路を搭載した液晶表示装置の構成の一例を示す構成図である。
【００８２】
図７において、表示装置用駆動回路を搭載した液晶表示装置は、前記実施の形態２に対し、信号線駆動回路２０２内のレジスタ切替タイミング生成回路２１２を変更した形となっており、レジスタ切替タイミング生成回路２１２からは、制御レジスタ１０１内のＲ＆Ｇ用レジスタ出力とＢ用レジスタ出力の選択を行う２ｔｏ１セレクタ６００を駆動するためのＲ＆Ｇ・Ｂ切替信号６０１を出力する。
【００８３】
＜レジスタ設定のタイミング＞
次に、図８により、本発明の実施の形態３に係る表示装置用駆動回路の制御レジスタ１０１から階調電圧生成回路１００の各レジスタへ入力されるレジスタ設定値のタイミングについて説明する。図８は本発明の実施の形態３に係る表示装置用駆動回路の制御レジスタから階調電圧生成回路の各レジスタへ入力されるレジスタ設定値のタイミングを示すタイミングチャートである。
【００８４】
本実施の形態では、Ｒ＆Ｇ・Ｂ切替信号６０１に従い、Ｒ＆Ｇ・Ｂ切替信号がハイ状態のとき、２ｔｏ１セレクタ６００はＲ＆Ｇ用レジスタ出力を選択し、Ｒ＆Ｇ・Ｂ切替信号６０１がロウ状態のとき、Ｂ用レジスタ出力を選択するように設定してある。
【００８５】
以上述べた本実施の形態によれば、γ特性調整に関してＲ＆ＧとＢとを個別に調整可能とすることでホワイトバランスのシフトを抑制し、正確な色再現性を実現することができる。また、ラダー抵抗を１本に減らし、回路規模削減を実現することができる。
【００８６】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００８７】
例えば、実施の形態１ではラダー抵抗に関してＲ＆ＧとＢという分け方をしたが、Ｒ＆Ｂ、Ｇという分け方、Ｇ＆Ｂ、Ｒという分け方としても構わない。その場合はγ調整レジスタについても同様の分け方を適用するようになる。
【００８８】
また、例えば、実施の形態２では、階調時分割数を２としたが、３以上とし、セレクタ回路によりその１つを階調時分割信号で選択するようにしても構わない。この場合、階調電圧出力アンプの数を、さらに減らすことができ、回路規模削減を実現することができる。
【００８９】
また、例えば、実施の形態３ではレジスタに関してＲ＆ＧとＢという分け方をしたが、Ｒ＆Ｂ、Ｇという分け方、Ｇ＆Ｂ、Ｒという分け方としても構わない。
【産業上の利用可能性】
【００９０】
本発明は、液晶表示装置の駆動回路に限定される訳ではなく、印加電圧によって表示輝度を制御するディスプレイ、例えば有機ＥＬ等にも適用可能である。
【図面の簡単な説明】
【００９１】
【図１】本発明の実施の形態１に係る表示装置用駆動回路における階調電圧生成部の構成の一例を示す構成図である。
【図２】本発明の実施の形態１に係る表示装置用駆動回路を搭載した液晶表示装置の構成の一例を示す構成図である。
【図３】本発明の実施の形態１に係る表示装置用駆動回路の制御レジスタから階調電圧生成回路の各レジスタへ入力されるレジスタ設定値のタイミングを示すタイミングチャートである。
【図４】本発明の実施の形態２に係る表示装置用駆動回路における階調電圧生成部の構成の一例を示す構成図である。
【図５】本発明の実施の形態２に係る表示装置用駆動回路の制御レジスタから階調電圧生成回路の各レジスタへ入力されるレジスタ設定値のタイミングを示すタイミングチャートである。
【図６】本発明の実施の形態３に係る表示装置用駆動回路における階調電圧生成部の構成の一例を示す構成図である。
【図７】本発明の実施の形態３に係る表示装置用駆動回路を搭載した液晶表示装置の構成の一例を示す構成図である。
【図８】本発明の実施の形態３に係る表示装置用駆動回路の制御レジスタから階調電圧生成回路の各レジスタへ入力されるレジスタ設定値のタイミングを示すタイミングチャートである。
【符号の説明】
【００９２】
１００…階調電圧生成回路、１０１…制御レジスタ、１０２…Ｒ＆Ｇ用レジスタ、１０３…Ｂ用レジスタ、１０４…正極Ｒ＆Ｇ用レジスタ、１０５…負極Ｒ＆Ｇ用レジスタ、１０６…正極Ｂ用レジスタ、１０７…負極Ｂ用レジスタ、１０８〜１０９…２ｔｏ１セレクタ、１１０…Ｒ＆Ｇ用ラダー抵抗、１１１〜１１８…Ｒ＆Ｇ用階調レベル、１１９…Ｂ用ラダー抵抗、１２０〜１２７…Ｂ用階調レベル、１２８〜１３５…２ｔｏ１セレクタ、１３６〜１４３…階調電圧出力アンプ、１４４〜１５１…階調電圧出力、１５２…ラダー切替信号、１５３…デコード回路、１５４…Ｂ正極・負極切替信号、１５５…Ｒ＆Ｇ正極・負極切替信号、２００…液晶表示装置、２０１…液晶パネル、２０２…信号線駆動回路、２０３…走査線駆動回路、２０４…電源回路、２０５…ＭＰＵ、２０６…システムインターフェース、２０７…表示データメモリ、２０８…スイッチ、２０９…Ｒ＆Ｇスイッチ駆動信号、２１０…Ｂスイッチ駆動信号、２１１…スイッチ切替タイミング生成回路、２１２…レジスタ切替タイミング生成回路、４００…階調時分割信号、４０１〜４０８…２ｔｏ１セレクタ、４０９…表示データ最下位ビット、６００…２ｔｏ１セレクタ、６０１…Ｒ＆Ｇ・Ｂ切替信号、６０２…ＲＧＢ共通ラダー抵抗。
【図１】
2007240895.tif 000003
【図２】
2007240895.tif 000004
【図３】
2007240895.tif 000005
【図４】
2007240895.tif 000006
【図５】
2007240895.tif 000007
【図６】
2007240895.tif 000008
【図７】
2007240895.tif 000009
【図８】
2007240895.tif 000010